(57)【要約】 【課題】  マルチカードリーディングモジュール装置を提供する。【解決手段】  第一カードリーディングモジュール１０及び第二カードリーディングモジュール１１から構成され、該第一カードリーディングモジュール１０はカードリーダー１２を具え、該カードリーダー１２は制御信号３３に基づき、第一カード信号３４を読み取り、該第二カードリーディングモジュール１１は組合せ機構３５により該第一カードリーディングモジュール１０を組み合わせ、該カードリーダー１２を共用し第二カード信号３６を読取り、該第二カード信号３６の内容に基づき制御信号３３を発信することにより、カードリーダー機能を拡充することができる。【選択図】  図１
0003126088.tif 000002
【実用新案登録請求の範囲】
【請求項１】
第一カードリーディングモジュール、第二カードリーディングモジュールを含み、
該第一カードリーディングモジュールはカードリーダーを具え、しかも該カードリーダーにより第一カードを読取り、
該第二カードリーディングモジュールは組合せ機構により該第一カードリーディングモジュールを結合し、該カードリーダーを共用し第二カードを読み取ることを特徴とするマルチカードリーディングモジュール装置。
【請求項２】
前記カードリーダーはカード読取り凹槽位置及び読取りスロットを具えることを特徴とする請求項１記載のマルチカードリーディングモジュール装置。
【請求項３】
前記第一カードリーディングモジュールはクレジットカードリーダーであることを特徴とする請求項１記載のマルチカードリーディングモジュール装置。
【請求項４】
前記第一カードはクレジットカード或いはキャッシュカードであることを特徴とする請求項１記載のマルチカードリーディングモジュール装置。
【請求項５】
前記第二カードリーディングモジュールはカード読取り機であることを特徴とする請求項１記載のマルチカードリーディングモジュール装置。
【請求項６】
前記第二カードは少なくとも身分データを含むことを特徴とする請求項１記載のマルチカードリーディングモジュール装置。
【請求項７】
前記身分データは氏名、性別、国籍、年齢或いは住所であることを特徴とする請求項１記載のマルチカードリーディングモジュール装置。
【請求項８】
前記組合せ機構は係合機構であることを特徴とする請求項１記載のマルチカードリーディングモジュール装置。
【請求項９】
前記組合せ機構は固定機構であることを特徴とする請求項１記載のマルチカードリーディングモジュール装置。
【請求項１０】
第一カードリーディングモジュール、第二カードリーディングモジュールを含み、  
該第一カードリーディングモジュールはカードリーダーを具え、該カードリーダーは制御信号に基づき、第一カード信号を読み取り、
該第二カードリーディングモジュールは組合せ機構により該第一カードリーディングモジュールを結合し、該カードリーダーを共用し第二カードの信号を読み取り、該第二カード信号の内容に基づき該制御信号を発信することを特徴とするマルチカードリーディングモジュール装置。
【請求項１１】
前記カードリーダーはカード読取り凹槽位置及び読取りスロットを具えることを特徴とする請求項１０記載のマルチカードリーディングモジュール装置。
【請求項１２】
前記第一カードリーディングモジュールはクレジットカードリーダーであることを特徴とする請求項１０記載のマルチカードリーディングモジュール装置。
【請求項１３】
前記第一カード信号はクレジットカード、キャッシュカード或いはポイントカードを出所とすることを特徴とする請求項１０記載のマルチカードリーディングモジュール装置。
【請求項１４】
前記第二カードリーディングモジュールはカード読取り機であることを特徴とする請求項１０記載のマルチカードリーディングモジュール装置。
【請求項１５】
前記第二カード信号は少なくとも身分データを含むことを特徴とする請求項１０記載のマルチカードリーディングモジュール装置。
【請求項１６】
前記身分データは氏名、性別、国籍、年齢或いは住所であることを特徴とする請求項１５記載のマルチカードリーディングモジュール装置。
【請求項１７】
前記組合せ機構は係合機構であることを特徴とする請求項１０記載のマルチカードリーディングモジュール装置。
【請求項１８】
前記組合せ機構は固定機構であることを特徴とする請求項１０記載のマルチカードリーディングモジュール装置。
【請求項１９】
クレジットカードリーダー、カードリーダーを含み、
該クレジットカードリーダーはカードリーダーを具え、しかも該カードリーダーによりクレジットカードを読み取り、
該カードリーダーは組合せ機構により該クレジットカードリーダーを結合し、該カードリーダーを共用しＩＤカードを読み取ることを特徴とするマルチカードリーディングモジュール装置。
【請求項２０】
前記カードリーダーはカード読取り凹槽位置及び読取りスロットを具えることを特徴とする請求項１９記載のマルチカードリーディングモジュール装置。
【請求項２１】
前記ＩＤカードは少なくとも身分データを含むことを特徴とする請求項１９記載のマルチカードリーディングモジュール装置。
【請求項２２】
前記身分データは氏名、性別、国籍、年齢或いは住所であることを特徴とする請求項２１記載のマルチカードリーディングモジュール装置。
【請求項２３】
前記組合せ機構は係合機構であることを特徴とする請求項１９記載のマルチカードリーディングモジュール装置。
【請求項２４】
前記組合せ機構は固定機構であることを特徴とする請求項１９記載のマルチカードリーディングモジュール装置。
【請求項２５】
クレジットカードリーダー、カードリーダーを含み、
該クレジットカードリーダーはカードリーダーを具え、該カード読取りユニットは制御信号に基づき、クレジットカードのデータ情報を読み取り、
該カードリーダー組合せ機構により該クレジットカードリーダーを結合し、該カードリーダーを共用しＩＤカード情報を読み取り、該ＩＤカード情報の内容に基づき該制御信号を発信することを特徴とするマルチカードリーディングモジュール装置。
【請求項２６】
前記カードリーダーはカード読取り凹槽位置及び読取りスロットを具えることを特徴とする請求項２５記載のマルチカードリーディングモジュール装置。
【請求項２７】
前記クレジットカードデータ情報はクレジットカード、キャッシュカード或いはポイントカードを出所とすることを特徴とする請求項２５記載のマルチカードリーディングモジュール装置。
【請求項２８】
前記ＩＤカード情報は氏名、性別、国籍、年齢或いは住所であることを特徴とする請求項２５記載のマルチカードリーディングモジュール装置。
【請求項２９】
前記組合せ機構は係合機構であることを特徴とする請求項２５記載のマルチカードリーディングモジュール装置。
【請求項３０】
前記組合せ機構は固定機構であることを特徴とする請求項２５記載のマルチカードリーディングモジュール装置。
【考案の詳細な説明】
【技術分野】
【０００１】
本考案は一種のマルチカードリーディングモジュール装置に関する。特に一種の同一カードリーダーを共用するマルチカードリーディングモジュール装置に係る。
【背景技術】
【０００２】
センサー式カードの普及に従い、それに伴う利便性は一般に広く受け容れられている。例えば、クレジットカード或いはキャッシングカードにより、多額の現金を携帯する必要なく、商品を購入する商店或いは自動販売機にカードリーダーが設置されていれば、カードに記録される金額或いは利用可能枠により消費が可能である。
しかし、現在普及しているカードリーダーはカード内のデータ内容を読み取ることができるだけで、使用者の身分を識別する機能は持たない。もし使用者がカードを用い、酒或いはタバコ等一定の年齢制限のある商品を購入しようとする時にも、カードリーダーは関連情報を提供することはできない。このため、店員が購入者の外観から規定の年齢に達しているか否かを判断するか、或いは購入者に身分を証明する文書の提出を求めるしか方法がなく、しかも自動販売機では購入者の年齢を判断することは不可能である。
しかし、現在センサー式カードと身分データを具えた証明物を同時に読み取り可能な多機能カードリーダーは非常に高価で、すべてのカードリーダーを更新し証明書を識別可能とするには莫大なコストを要する。
【特許文献１】特開２００６−１１９６９８号公報
【考案の開示】
【考案が解決しようとする課題】
【０００３】
公知構造には以下の欠点があった。
すなわち、現在普及しているカードリーダーは、カード内のデータ内容を読み取ることができるだけで、使用者の身分を識別する機能は持たないため、使用者が一定の年齢制限のある商品を購入しようとする時にもカードリーダーが関連情報を提供できないことで不便が起きている。現在既にセンサー式カードと身分データを具えた証明物を同時に読み取り可能な多機能カードリーダーは非常に高価で、すべてのカードリーダーを更新し証明書を識別可能とするには莫大なコストを要する。
本考案は、上記構造の問題点を解決したマルチカードリーディングモジュール装置を提供するものである。
【課題を解決するための手段】
【０００４】
上記課題を解決するために、本考案は、下記の特徴を有するマルチカードリーディングモジュール装置を提供する。
１．請求項１に記載のマルチカードリーディングモジュール装置は、第一カードリーディングモジュール、第二カードリーディングモジュールを含み、該第一カードリーディングモジュールはカードリーダーを具え、しかも該カードリーダーにより第一カードを読取り、該第二カードリーディングモジュールは組合せ機構により該第一カードリーディングモジュールを結合し、該カードリーダーを共用し第二カードを読み取ることを特徴とする。
２．請求項２に記載のマルチカードリーディングモジュール装置は、請求項１の場合において、前記カードリーダーはカード読取り凹槽位置及び読取りスロットを具えることを特徴とする。
３．請求項３に記載のマルチカードリーディングモジュール装置は、請求項１の場合において、前記第一カードリーディングモジュールはクレジットカードリーダーであることを特徴とする。
４．請求項４に記載のマルチカードリーディングモジュール装置は、請求項１の場合において、前記第一カードはクレジットカード或いはキャッシュカードであることを特徴とする。
５．請求項５に記載のマルチカードリーディングモジュール装置は、請求項１の場合において、前記第二カードリーディングモジュールはカード読取り機であることを特徴とする。
６．請求項６に記載のマルチカードリーディングモジュール装置は、請求項１の場合において、前記第二カードは少なくとも身分データを含むことを特徴とする。
７．請求項７に記載のマルチカードリーディングモジュール装置は、請求項１の場合において、前記身分データは氏名、性別、国籍、年齢或いは住所であることを特徴とする。
８．請求項８に記載のマルチカードリーディングモジュール装置は、請求項１の場合において、前記組合せ機構は係合機構であることを特徴とする。
９．請求項９に記載のマルチカードリーディングモジュール装置は、請求項１の場合において、前記組合せ機構は固定機構であることを特徴とする。
１０．請求項１０に記載のマルチカードリーディングモジュール装置は、第一カードリーディングモジュール、第二カードリーディングモジュールを含み、該第一カードリーディングモジュールはカードリーダーを具え、該カードリーダーは制御信号に基づき、第一カード信号を読み取り、該第二カードリーディングモジュールは組合せ機構により該第一カードリーディングモジュールを結合し、該カードリーダーを共用し第二カードの信号を読み取り、該第二カード信号の内容に基づき該制御信号を発信することを特徴とする。
１１．請求項１１に記載のマルチカードリーディングモジュール装置は、請求項１０の場合において、前記カードリーダーはカード読取り凹槽位置及び読取りスロットを具えることを特徴とする。
１２．請求項１２に記載のマルチカードリーディングモジュール装置は、請求項１０の場合において、前記第一カードリーディングモジュールはクレジットカードリーダーであることを特徴とする。
１３．請求項１３に記載のマルチカードリーディングモジュール装置は、請求項１０の場合において、前記第一カード信号はクレジットカード、キャッシュカード或いはポイントカードを出所とすることを特徴とする。
１４．請求項１４に記載のマルチカードリーディングモジュール装置は、請求項１０の場合において、前記第二カードリーディングモジュールはカード読取り機であることを特徴とする。
１５．請求項１５に記載のマルチカードリーディングモジュール装置は、請求項１０の場合において、前記第二カード信号は少なくとも身分データを含むことを特徴とする。
１６．請求項１６に記載のマルチカードリーディングモジュール装置は、請求項１５の場合において、前記身分データは氏名、性別、国籍、年齢或いは住所であることを特徴とする。
１７．請求項１７に記載のマルチカードリーディングモジュール装置は、請求項１０の場合において、前記組合せ機構は係合機構であることを特徴とする。
１８．請求項１８に記載のマルチカードリーディングモジュール装置は、請求項１０の場合において、前記組合せ機構は固定機構であることを特徴とする。
１９．請求項１９に記載のマルチカードリーディングモジュール装置は、クレジットカードリーダー、カードリーダーを含み、該クレジットカードリーダーはカードリーダーを具え、しかも該カードリーダーによりクレジットカードを読み取り、該カードリーダーは組合せ機構により該クレジットカードリーダーを結合し、該カードリーダーを共用しＩＤカードを読み取ることを特徴とする。
２０．請求項２０に記載のマルチカードリーディングモジュール装置は、請求項１９の場合において、前記カードリーダーはカード読取り凹槽位置及び読取りスロットを具えることを特徴とする。
２１．請求項２１に記載のマルチカードリーディングモジュール装置は、請求項１９の場合において、前記ＩＤカードは少なくとも身分データを含むことを特徴とする。
２２．請求項２２に記載のマルチカードリーディングモジュール装置は、請求項２１の場合において、前記身分データは氏名、性別、国籍、年齢或いは住所であることを特徴とする。
２３．請求項２３に記載のマルチカードリーディングモジュール装置は、請求項１９の場合において、前記組合せ機構は係合機構であることを特徴とする。
２４．請求項２４に記載のマルチカードリーディングモジュール装置は、請求項１９の場合において、前記組合せ機構は固定機構であることを特徴とする。
２５．請求項２５に記載のマルチカードリーディングモジュール装置は、クレジットカードリーダー、カードリーダーを含み、該クレジットカードリーダーはカードリーダーを具え、該カード読取りユニットは制御信号に基づき、クレジットカードのデータ情報を読み取り、該カードリーダー組合せ機構により該クレジットカードリーダーを結合し、該カードリーダーを共用しＩＤカード情報を読み取り、該ＩＤカード情報の内容に基づき該制御信号を発信することを特徴とする。
２６．請求項２６に記載のマルチカードリーディングモジュール装置は、請求項２５の場合において、前記カードリーダーはカード読取り凹槽位置及び読取りスロットを具えることを特徴とする。
２７．請求項２７に記載のマルチカードリーディングモジュール装置は、請求項２５の場合において、前記クレジットカードデータ情報はクレジットカード、キャッシュカード或いはポイントカードを出所とすることを特徴とする。
２８．請求項２８に記載のマルチカードリーディングモジュール装置は、請求項２５の場合において、前記ＩＤカード情報は氏名、性別、国籍、年齢或いは住所であることを特徴とする。
２９．請求項２９に記載のマルチカードリーディングモジュール装置は、請求項２５の場合において、前記組合せ機構は係合機構であることを特徴とする。
３０．請求項３０に記載のマルチカードリーディングモジュール装置は、請求項２５の場合において、前記組合せ機構は固定機構であることを特徴とする。
【考案の効果】
【０００５】
上記のように、本考案は異なる機能のカードリーディングモジュールを組合せ機構により連接し、カード読取り凹槽位置及び読取りスロットを共用することにより、カードリーダー機能を拡充可能なマルチカードリーディングモジュール装置を提供することができる。
【考案を実施するための最良の形態】
【０００６】
図１に示すように、本考案マルチカードリーディングモジュール装置１は第一カードリーディングモジュール１０及び第二カードリーディングモジュール１１を含む。
該第一カードリーディングモジュール１０はカードリーダー１２を具えしかも該カードリーダー１２により第一カード１３を読み取る。
該第二カードリーディングモジュール１１は組合せ機構１４により該第一カードリーディングモジュール１０を結合し、該カードリーダー１２を共用し第二カード１５を読み取る。該第一カードリーディングモジュール１０及び該第二カードリーディングモジュール１１はそれぞれ独立したセンサー及びプロセッサーを具える。
【０００７】
図１中において、該第一カードリーディングモジュール１０は第一センサー１６及び第一プロセッサー１７を具える。該第一センサー１６は該第一カード１３のデータを感知し読取り、該第一プロセッサー１７は該第一センサー１６が読み取ったデータをさらに処理する。
該第二カードリーディングモジュール１１は第二センサー１８及び第二プロセッサー１９を具え、該第二センサー１８は該第二カード１６のデータを感知し読取り、該第二プロセッサー１９は該第二センサー１８が読み取ったデータをさらに処理する。
該カードリーダー１２はカード読取り凹槽位置及び読取りスロットを具える。該カード読取り凹槽位置は使用者がカードを挿入するために用い、該読取りスロットはカードを第一センサー及び第二センサーに輸送し、カードのデータを感知し読取る。
上記第一カードリーディングモジュールはクレジットカードリーダーで、該第一カードはクレジットカード、キャッシュカード或いはポイントカードである。
該第二カードリーディングモジュールはカード読取り機で、該第二カードは身分証明書、パスポート或いは運転免許証等の少なくとも身分データを含むカードである。身分データは氏名、性別、国籍、年齢或いは住所である。
該組合せ機構は係合機構或いは固定機構である。
【０００８】
次に、図２に示すように、本考案マルチカードリーディングモジュール装置２はクレジットカードリーダー２０及びカードリーダー２１を含む。
該クレジットカードリーダー２０はカード読取り凹槽位置２２及び読取りスロット２３を具え、使用者は該カード読取り凹槽位置２２を通してクレジットカード２４を挿入し、該読取りスロット２３は該クレジットカード２４を該クレジットカードリーダー２０内部に伝送し、該クレジットカード２４のデータの読取り動作を行う。該カードリーダー２１は係合機構２５１及び２５２（図中の２本の円形点線で囲む部分）によりクレジットカードリーダー２０を結合し、しかも該クレジットカードリーダー２０とカード読取り凹槽位置２２及び読取りスロット２３を共用する。使用者は該カード読取り凹槽位置２２を通して身分証明書、パスポート或いは運転免許証等のＩＤカード２６を挿入し、該カードリーダー２１は該ＩＤカード２６を読取りスロット２３に伝送し、該ＩＤカード２６のデータ読取り動作を行う。
該係合機構２５２がクレジットカードリーダー２０外殼上の凹状機構２５５及びカードリーダー２１外殼上の凸状機構２５６を含む。該係合機構２５１はクレジットカードリーダー２０外殼上の柱状機構２５４及びカードリーダー２１外殼上の嵌合機構２５３を含み、しかも該嵌合機構２５３は弾性部品を設置し、該嵌合機構２５３が方向Ａへと移動する時、該弾性部品は方向Ｂへの引力を生じる。該クレジットカードリーダー２０及び該カードリーダー２１を結合する時は先ず該凹状機構２５５と該凸状機構２５６を結合し、さらに該嵌合機構２５３を方向Ａへと引き該嵌合機構２５３は該柱状機構２５４を嵌合する。こうして該カードリーダー２１は該クレジットカードリーダー２０上に固定される。この他該クレジットカードリーダー２０外殼上及び該カードリーダー２１上にはネジ孔を形成し、螺合方式により該クレジットカードリーダー２０及び該カードリーダー２１を固定することができる。
【０００９】
続いて図３に示すように、本考案マルチカードリーディングモジュール装置の別種の実施例では、マルチカードリーディングモジュール装置３は第一カードリーディングモジュール３０及び第二カードリーディングモジュール３１を含む。
該第一カードリーディングモジュール３０はカードリーダー３２を具え、該カードリーダー３２は制御信号に基づき３３、第一カード信号３４を読み取る。
該第二カードリーディングモジュール３１は組合せ機構３５により該第一カードリーディングモジュール３０を結合し、該カードリーダー３２を共用し第二カード３６の信号を読み取り、該第二カード信号３６の内容に基づき制御信号３３を発信する。
該第一カード信号３４及び該第二カード信号３６は同一のカード３７から読取り或いはそれぞれ異なるカードから読取ることができる。
【００１０】
図３において、該第二カードリーディングモジュール３１は第二センサー３１１及び第二プロセッサー３１２を具え、該第二センサー３１２は該カード３７上の第二カード信号３６を読み取り、該第二プロセッサー１９は該第二カード信号３６の内容に基づき演算を行い、制御信号３３を発信する。該第一カードリーディングモジュール３０は第一センサー３０１及び第一プロセッサー３０２を具え、該第一センサー３０１はカード３７の第一カード信号３４を読み取り、該第一プロセッサー３０２は該制御信号３３に基づき、該第一カード信号３４の内容に対して演算を行う否かを決定する。
上記第一カードリーディングモジュール３０はクレジットカードリーダーで、該第一カード信号３４はクレジットカード、キャッシュカード或いはポイントカードを出所とする。該第二カードリーディングモジュール３１はカード読取り機で、該第二カード信号３６は身分証明書、パスポート或いは運転免許証等の少なくとも身分データを含むカードである。身分データは氏名、性別、国籍、年齢或いは住所である。該組合せ機構３５は係合機構或いは固定機構である。
【００１１】
さらに、図４に示すように、本考案マルチカードリーディングモジュール装置のさらに別種の実施例では、マルチカードリーディングモジュール装置４はクレジットカードリーダー４０及びカードリーダー４１を含む。該クレジットカードリーダー４０はカードリーダー４２、第一センサー４０１及び第一プロセッサー４０２を具える。該カードリーダー４１は第二センサー４１１及び第二プロセッサー４１２を具え、しかも該カードリーダー４１は係合機構４５により該クレジットカードリーダー４０と結合する。該第二センサー４１１は運転免許証４７１上の運転免許証信号４６を読み取る（注意：運転免許証４７１は実際はカードリーダー４２に挿入後、データの読取りを行う。図４中では異なるカードの挿入時間が異なることを示すため、該運転免許証４７１を該カードリーダー４２の外に描いてある）。
さらに、該第二プロセッサー４１２は運転免許証信号４６とデータベース４８の保存データを比較し、例えば使用者の年齢或いは使用者の国籍を比較し、使用者の身分が購入商品の規定に符合するか否かを確認する。該第二プロセッサー４１２は比較対照結果に基づき制御信号４３を発信し、該第一プロセッサー４０２に伝送する。該第一センサー４０は該クレジットカード４７２上のクレジットカードデータ情報４４を読み取る。該第一プロセッサー４０２は制御信号４３に基づき、クレジットカードデータ情報４４に対して処理を行う否かを決定する。
【００１２】
こうして使用者がクレジットカード４７２を挿入し、しかもタバコを購入しようとするなら、第二センサー４１１はクレジットカード４７２上からは身分データを読み取ることはできないため、該第二プロセッサー４１２は制御信号４３を発信し、第一プロセッサー４０２にクレジットカードデータ情報４４の処理を禁じる。この時、該マルチカードリーディングモジュール装置４は提示信号を発し、使用者に身分証明書、パスポート或いは運転免許証を挿入するよう提示し、使用者の身分を確認しタバコを購入可能とする。すなわち該第二プロセッサー４１２は制御信号４３を発信し、該第一プロセッサー４０２にクレジットカードデータ情報４４の処理を許し、使用者はこうしてクレジットカード４７２内の利用可能枠を利用しタバコを購入可能となる。
【図面の簡単な説明】
【００１３】
【図１】本考案マルチカードリーディングモジュール装置実施例のブロックチャートである。
【図２】本考案マルチカードリーディングモジュール装置実施例の指示図である。
【図３】本考案マルチカードリーディングモジュール装置の別種の実施例のブロックチャートである。
【図４】本考案マルチカードリーディングモジュール装置のさらに別種の実施例のブロックチャートである。
【符号の説明】
【００１４】
１      マルチカードリーディングモジュール装置
１０    第一カードリーディングモジュール
１１    第二カードリーディングモジュール
１２    カードリーダー
１３    第一カード
１４    組合せ機構
１５    第二カード
１６    第一センサー
１７    第一プロセッサー
１８    第二センサー
１９    第二プロセッサー
２      マルチカードリーディングモジュール装置
２０    クレジットカードリーダー
２１    カードリーダー
２２    カード読取り凹槽位置
２３    読取りスロット
２４    クレジットカード
２５１  係合機構
２５２  係合機構
２５３  嵌合機構
２５４  柱状機構
２５５  凹状機構
２５６  凸状機構
２６    ＩＤカード
３      マルチカードリーディングモジュール装置
３０    第一カードリーディングモジュール
３０１  第一センサー
３０２  第一プロセッサー
３１    第二カードリーディングモジュール
３１１  第二センサー
３１２  第二プロセッサー
３２    カードリーダー
３３    制御信号
３４    第一カード信号
３５    組合せ機構
３６    第二カード信号
３７    カード
４      マルチカードリーディングモジュール装置
４０    クレジットカードリーダー
４０１  第一センサー
４０２  第一プロセッサー
４１    カードリーダー
４１１  第二センサー
４１２  第二プロセッサー
４２    カードリーダー
４３    制御信号
４４    クレジットカードデータ情報
４５    係合機構
４６    運転免許証信号
４７１  運転免許証
４７２  クレジットカード
４８    データベース
【図１】
0003126088.tif 000003
【図２】
0003126088.tif 000004
【図３】
0003126088.tif 000005
【図４】
0003126088.tif 000006